(57)【特許請求の範囲】
【請求項１】
感知部のプロテクタと、化粧プレート機能を有するつば部と、前記つば部より細径に形成しかつ信号処理回路を内装するケース部とを一体に形成してなる火災感知器において、つば部より上方側に前記ケース部を挟むように少なくとも２つの互いの上側先端が近づくように折り曲げられた取付ばねを付設し、前記取付ばねは天井板に形成した開口縁に挿通されて横方やや下方に押しつける反発力により当接し、同取付ばねとつば部上面との間に天井板が挟み込まれた状態とされることを特徴とする火災感知器。
【請求項２】
請求項１記載の火災感知器において、中央にケース部を挿通する開口を有し端部にねじ挿通孔とを有数する略円板状の取付プレートと、前記取付プレートのねじ挿通孔を覆いかつ中央に感知部のプロテクタを挿通する開口を有する略円板状の化粧プレートとを具備することを特徴とする火災感知器。
【発明の詳細な説明】
【０００１】
【発明の属する技術分野】
本発明は、埋め込み取付に適する火災感知器に関する。
【０００２】
【従来の技術】
従来の火災感知器は図５に示すように、感知器ベース５０と、感知器ヘッド８０と、化粧プレート１００とで構成されている。
【０００３】
感知器ベース５０は図６に示すように、ボディ５１と、プリント基板５２と、カバー５３とを有し、天井等からの信号兼電源線を接続する端子部として端子カバー５４と鎖錠ばね５５，５５と端子板５６，５６とを有している。また感知器ヘッド８０の端子板８６，８６に電気接続するための端子部として端子板５７，５７と接触ばね５８，５８とこれらをボディ５１に固定するねじ５９，５９とを有している。更に端子板５６，５６とプリント基板５２の間を接続する接続ピン６０，６０を有し、またボディ５１から下方へ突出する動作確認灯６１とその保護カバー６２とを有している。
【０００４】
また感知器ヘッド８０としては、煙感知器の場合も略同外径、同高さとなるが、図７では熱感知器とした場合の例で示す。感知器ヘッド８０はボディ８１と、パッキン８２と、プリント基板８３と、中カバー８４と、プロテクタ８５とを有する。更に感知器ベース５０側に接続するための端子板８６，８６と端子板８６，８６を固定するねじ８７，８７と、接続ピン８８，８８、接触ピン８９，８９とを有し、プリント基板８３上には半導体式の熱検出素子であるサーミスタ素子９０が突出形成している。
【０００５】
更に感知器ベース５０は、天井板への取り付け部材として、図８に示すように、はさみ金具６５，６５と、ばね６６，６６と、止め板６７，６７と、長ねじ６８，６８とを、感知器ベース５０のつば部６３の孔６４，６４から立設している。そして、中空の天井板に感知器ベース５０を取り付けるときには、図９に示すように、はさみ金具６５，６５を感知器ベース５０の上に載置した状態で、天井板の開口から挿入し、はさみ金具６５，６５を感知器ベース５０の上から解放して、長ねじ６８，６８を回転させて、天井板をはさみ金具６５，６５とつば部６３で挟持して、感知器ベース５０を天井板に固定している。
【０００６】
化粧プレート１００は、天井への取り付けに使用する長ねじ６８，６８やねじ７０，７０を隠すために、被着する。
【０００７】
また、この感知器ベース５０を、天井に埋設したボックス６９に取り付ける場合は図１０に示すように、ねじ７０，７０と、つば部６３の孔７１，７１又は図８に示す孔６４，６４を使用して、ボックス６９のねじ孔７３，７３に螺着して取り付ける。
【０００８】
【発明が解決しようとする課題】
しかしながら、従来の火災感知器は、前記のように図５乃至図１０に示す構造となっているため、感熱部である感知器ヘッド８０と、天井板との取り付け、電線の接続、感知器ヘッド８０との機械的保持及び電気的接続を目的とした感知器ベース５０と、天井への取り付けに使用するねじを隠す化粧プレート１００とが必要となっており、感知器ヘッド８０、感知器ベース５０、化粧プレート１００の３点をセットとして使用する必要があり、施工にも時間がかかり手間であった。
【０００９】
更に、上記の化粧プレート１００は、中空天井に直接取り付ける場合、及びボックス６９への取り付け場合ともに、長ねじ６８，６８、ねじ７０，７０を使用するため、これを隠すための化粧プレート１００として必須のものとなっていた。
【００１０】
本発明は上記の問題点を解決するためになされたものであり、その目的とするところは、部品点数の削減と、施工時間を短縮できる火災感知器を提供することにある。
【００１１】
【課題を解決するための手段】
前記の課題を解決するために、請求項１記載の発明では、感知部のプロテクタと、化粧プレート機能を有するつば部と、前記つば部より細径に形成しかつ信号処理回路を内装するケース部とを一体に形成する。
【００１２】
そして、請求項１記載の発明では、つば部より上方側に前記ケース部を挟むように少なくとも２つの互いの上側先端が近づくように折り曲げられた取付ばねを付設し、前記取付けばねは天井板に形成した開口縁に挿通されて横方やや下方に押しつける反発力により当接し、同取付ばねとつば部上面との間に天井板が挟み込まれた状態とされる。
【００１３】
請求項２記載の発明では、中央にケース部を挿通する開口を有し端部にねじ挿通孔とを有する略円板状の取付プレートと、前記取付プレートのねじ挿通孔を覆いかつ中央に感知部のプロテクタを挿通する開口を有する略円板状の化粧プレートとを具備する。
【００１４】
【発明の実施の形態】
本発明の一実施形態を図１乃至図４に基づいて説明する。図１は火災感知器の本体の分解斜視図、図２は本体と取付ばねを示す分解斜視図、図３は中空天井に火災感知器を取り付ける状態を示す斜視図、図４は埋込ボックスに火災感知器を取り付ける状態を示す分解斜視図である。
【００１５】
火災感知器の本体１は、図１に示すように、ボディ１０と、プロテクタ２０とプリント基板２５と、カバー３０と、端子部４０とを一体に組み立てて構成している。
【００１６】
ボディ１０は、化粧プレート機能を兼ねるつば部１１と、ケース部１２とを有している。つば部１１は、天井板の開口Ａを隠すためと、火災感知器を天井板に挟持する部材の機能を有する。ケース部１２は略円筒状で、上面が開口し、下面側にもサーミスタ素子２６をプロテクタ２０側へ挿通させる孔１３を有している。ボディ１０のケース部１２の中には信号処理回路を内装するプリント基板２５と、サーミスタ素子２６、動作確認灯用の光ガイド２７とが配設される。
【００１７】
プロテクタ２０は、係合突起２１，２１によりボディ１０の対応箇所に係止され、熱検出素子であるサーミスタ素子２６を外力から保護する。このプロテクタ２０は、熱感知器の場合を示したが、煙感知器とする場合には、図示しないが、プロテクタ２０の内側にリング状の防虫網を設け、その内部のラビリンス内に発光素子と受光素子とを配設した煙検知室が形成される。
【００１８】
プリント基板２５には上面にアドレス設定部２８と、下面に前記サーミスタ素子２６が接続され、光ガイド２７がプリント基板２５とケース部１２の間に挟持される。光ガイド２７は、プリント基板２５下面に設けた動作確認用の発光ダイオード（図示せず）の光を、火災感知器の下面から見える位置へ導出する。
【００１９】
カバー３０は、ケース部１２の開口を覆うものであり、上面に設けた２箇所の孔３１，３１に、ねじ３２，３２を挿通し、ねじ３２，３２をケース部１２の上面に設けたねじ孔１４，１４にねじ止めすることにより固定される。カバー３０にはアドレス設定部２８に対応する位置に設定用孔３３を設けている。この設定用孔３３には、アドレスカバー３４が設けてあり、アドレスカバー３４はアドレスカバー３４の孔３４ａを利用して、孔３１とねじ孔１４とねじ３２を兼用してカバー３０に固定される。
【００２０】
端子部４０は、端子カバー４１と、端子板４２，４２と、鎖錠ばね４３，４３と、カバー３０の上面に形成したケース部３５，３５とで構成している。端子部４０は、天井上より配線される信号線や電源線を、速結方式により結線することができる。
【００２１】
次に、図２に基づいて、取付ばね１５，１５について説明する。取付ばね１５，１５は、弾性のある板材で形成され、２枚の取付ばね１５，１５それぞれにカバー３０へ係止するための係止部１５ａ、ケース部１２へ係止するための係止部１５ｂ，１５ｂ及び係止部１５ｃとを有し、更に、天井板を反発力により挟持する挟持部１５ｄと、挟持部１５ｄの先端には屈曲部１５ｅを有している。
【００２２】
この取付ばね１５，１５に対応して、カバー３０には、係止部３６，３６が設けてある。また、ケース部１２には突出片１６，１６との間に、係止溝１７，１７を設けている。また係止溝１７，１７の間の壁面に係合凹部１８が形成してある。そして取付ばね１５の係止部１５ａが係止部３６，３６に係止され、また係止部１５ｂ，１５ｂが係止溝１７，１７に嵌まり込み、係止部１５ｃが係合凹部１８に係合することにより、取付ばね１５はボディ１０に取着される。取付ばね１５，１５は、ボディ１０のケース部１２の左右に１枚づつ取着される。
【００２３】
次に、図３に基づいて中空天井への火災感知器の取付方法を説明する。天井面には、予めボディ１０のケース部１２及びカバー３０よりも少しだけ大きい円形の開口Ａをあけておく。次に手指等で２枚の取付ばね１５，１５を上側で互いに狭めて、前記開口Ａを挿通させる。火災感知器の本体１を天井面に少し押しつけて、つば部１１の上面を天井面に当接させれば、取付が完了する。このとき取付ばね１５，１５は自らの反発力により天井板の開口Ａの上側開口縁を横方やや下方に押しつけて、つば部１１上面との間に天井板を挟み込んだ状態となっている。つば部１１の下面にはねじ等が露出しないので従来の化粧プレート１００を取り付ける必要がない。またこの取付ばね１５，１５による取付方法であると、ねじ等を使用しないので速やかに火災感知器を取り付けることができる。
【００２４】
一方、特殊な取付方法ではあるが、天井内に埋め込まれた埋込ボックス６９に、火災感知器の本体１を取り付ける場合は、取付プレート４５と化粧プレート４８を使用する。取付プレート４５は、孔４５ａ，４５ａ、孔４５ｂ，４５ｂを有し、中央に開口４６を有している。開口４６はボディ１０のケース部１２及びカバー３０よりも少し大きめの円形形状で、取付ばね１５，１５も挿通可能な大きさにしてある。化粧プレート４８の中央には開口４９が設けてあり、プロテククタ２０の外径よりも僅かに大きく形成してありプロテククタ２０を挿通することができる。また化粧プレート４８は、取付プレート４５に係止手段により係止される。
【００２５】
火災感知器の本体１を上記の埋込ボックス６９に取り付ける手順を説明する。まず取付プレート４５をねじ７０，７０により埋込ボックス６９に取り付ける。次に本体１の取付ばね１５，１５を、取付プレート４５の開口４６内へ挿通する。取付ばね１５，１５の反発力により、取付ばね１５，１５は埋込ボックス６９の内壁又は取付プレート４５の開口４６の開口縁に当接して、火災感知器の本体１は固定される。次に化粧プレート４８を取付プレート４５に係止する。尚、化粧プレート４８を強固に取付プレート４５に係止するようにすれば、取付ばね１５，１５を使用しなくても、本体１は、つば部１１が取付プレート４５と化粧プレート４８に挟持されることにより固定される。
【００２６】
尚、この取付プレート４５と化粧プレート４８を使用すれば、以下のような場合に中空天井に火災感知器を取り付けることも可能である。すなわち、中空天井の開口作業において、誤ってやや大きすぎる開口をあけてしまい、取付ばね１５，１５では取り付かなくなったときに、天井面の前記開口の両側にねじ孔を加工して、取付プレート４５を孔４５ａ，４５ａを使用してねじ７０，７０で取り付け、本体１を取付ばね１５，１５で取り付け、ねじ７０，７０の目隠しとして化粧プレート４８を使用することにより、火災感知器を中空天井に取り付けることができる。
【００２７】
【発明の効果】
請求項１記載の発明によれば、従来の感知器ヘッドと感知器ベースを一体に形成することができ、火災感知器の構成点数を削減することができるという効果を奏する。
【００２８】
しかも、請求項１記載の発明によれば、上記の効果に加えて、取付ばねを使用して中空天井に火災感知器を取り付けることができ、取付け用のねじを用いないので、ねじの目隠し用の化粧プレートを必要としない。また取付ばねを使用しているので、従来のはさみ金具、長ねじ、及びばね等が不要となり部品数を削減することができ、更に取付ばねにより速やかに火災感知器を取り付けることができるという効果を奏する。
【００２９】
請求項２記載の発明によれば、請求項１記載の発明の効果に加えて、埋込ボックスに火災感知器を取り付ける場合でも、取付プレートと化粧プレートを使用することにより、本発明の火災感知器の本体を取り付けることができるという効果を奏する。
【図面の簡単な説明】
【図１】本発明の一実施形態の火災感知器の本体の分解斜視図である。
【図２】同上の本体と取付ばねを示す分解斜視図である。
【図３】中空天井に火災感知器を取り付ける状態を示す斜視図である。
【図４】埋込ボックスに火災感知器を取り付ける状態を示す分解斜視図である。
【図５】従来例の火災感知器の分解斜視図である。
【図６】同上の火災感知器の本体の分解斜視図である。
【図７】同上の火災感知器の感知器ヘッドの分解斜視図である。
【図８】同上の火災感知器の感知器ベースの分解斜視図である。
【図９】同上の火災感知器を中空天井に取り付ける状態を示す部分断面図である。
【図１０】同上の火災感知器を埋込ボックスに取り付ける状態を示す分解斜視図である。
【符号の説明】
１                本体
１１              つば部
１２              ケース部
１５，１５        取付ばね
２０              プロテクタ
２５              信号処理回路（プリント基板）
２６              感知部（サーミスタ素子）
４５              取付プレート
４５ａ            ねじ挿通孔
４６              開口（取付プレート）
４８              化粧プレート
４９              開口（化粧プレート）
Ａ                開口（天井）
【図１】
0003627466.tif 000002
【図２】
0003627466.tif 000003
【図３】
0003627466.tif 000004
【図４】
0003627466.tif 000005
【図５】
0003627466.tif 000006
【図６】
0003627466.tif 000007
【図７】
0003627466.tif 000008
【図８】
0003627466.tif 000009
【図９】
0003627466.tif 000010
【図１０】
0003627466.tif 000011